(57)【特許請求の範囲】
【請求項１】
高水位タンクに接続したドレン排水管と低水位タンクに接続したオーバーフロー排水管を集流排水管に接続して、同集流排水管を通して前記高水位タンク内の水と前記低水位タンク内の水を排水するようにした排水装置において、前記ドレン排水管における最小通路断面積を前記集流排水管における最小通路断面積よりも小さくしたことを特徴とする排水装置。
【請求項２】
請求項１に記載の排水装置において、前記ドレン排水管における最小通路断面積を前記ドレン排水管に設けた絞りによって形成したことを特徴とする排水装置。
【発明の詳細な説明】
【０００１】
【発明の属する技術分野】
本発明は、高水位タンクに接続したドレン排水管と低水位タンクに接続したオーバーフロー排水管を集流排水管に接続して、同集流排水管を通して前記高水位タンク内の水と前記低水位タンク内の水を排水するようにした排水装置に関する。
【０００２】
【発明が解決しようとする課題】
この種の排水装置は、例えば、図２に示したように電解水生成装置の排水装置として採用し得るものであって、酸性水タンク１（図示省略の電解槽にて生成された酸性水を貯溜するタンク）に接続したドレン排水管２と、アルカリ性水タンク３（図示省略の電解槽にて生成されたアルカリ性水を貯溜するタンク）に接続したドレン排水管４と、酸性水タンク１とアルカリ性水タンク３の上限水位（破線にて示した水位）よりもその上限水位（破線にて示した水位）が低水位の濃塩水タンク５（図示省略の電解槽に供給される濃塩水を貯溜するタンク）に接続したオーバーフロー排水管６とを集流排水管７に接続することにより構成されていて、各タンク１，３，５内の水を排水するようになっている。
【０００３】
ところで、上記した排水装置においては、各ドレン排水管２，４に介装された各排水弁８，９の開弁によって、各ドレン排水管２，４と集流排水管７の管路抵抗によって定まる排水許容量以上の水が各タンク（高水位タンク）１，３から各ドレン排水管２，４内に流れると、その水がオーバーフロー排水管６を通して濃塩水タンク（低水位タンク）５内に逆流してしまうおそれがある。
【０００４】
【課題を解決するための手段】
本発明は、上記した問題に対処すべくなされたものであり、高水位タンクに接続したドレン排水管と低水位タンクに接続したオーバーフロー排水管を集流排水管に接続して、同集流排水管を通して前記高水位タンク内の水と前記低水位タンク内の水を排水するようにした排水装置において、前記ドレン排水管における最小通路断面積を前記集流排水管における最小通路断面積よりも小さくしたことに特徴がある。この場合において、前記ドレン排水管における最小通路断面積を前記ドレン排水管に設けた絞りによって形成することが望ましい。
【０００５】
【発明の作用・効果】
本発明による排水装置においては、高水位タンクに接続したドレン排水管と低水位タンクに接続したオーバーフロー排水管を集流排水管に接続して、同集流排水管を通して高水位タンク内の水と低水位タンク内の水を排水するようにした排水装置において、ドレン排水管における最小通路断面積を集流排水管における最小通路断面積よりも小さくしたため、ドレン排水管を通して集流排水管に向けて流れる水量を少なくすることができる。したがって、オーバーフロー排水管に逆流する水量を少なく又は無くすことができて、高水位タンク内の水がオーバーフロー排水管を通して低水位タンクに逆流することを防止することができる。
【０００６】
また、本発明の実施に際して、ドレン排水管における最小通路断面積をドレン排水管に設けた絞りによって形成した場合には、絞りによって上記した作用効果を同様に得ることができるため、ドレン排水管と集流排水管の管径を等しくし得て、ドレン排水管と集流排水管に使用する部材を同一のものとすることができ、安価に実施することができる。
【０００７】
【発明の実施の形態】
以下に、本発明の一実施形態を図面に基づいて説明する。図１は、本発明による排水装置５０を実施した電解水生成装置を示していて、この電解水生成装置は、電解槽１０と、濃塩水タンク２０と、酸性水タンク３０と、アルカリ性水タンク４０と、排水装置５０等を備えている。
【０００８】
電解槽１０は、それ自体周知の有隔膜電解槽であり、濃塩水タンク２０から供給される濃塩水と水道水（図示省略の外部給水源から供給される）とが混合された希塩水を電気分解することによって陽極室Ｒ１にて酸性水が生成されるとともに陰極室Ｒ２にてアルカリ性水が生成され、酸性水は導水管１１を通して酸性水タンク３０に導かれ、アルカリ性水は導水管１２を通してアルカリ性水タンク４０に導かれるようになっている。
【０００９】
濃塩水タンク２０は、内部に収容される食塩と給水管２１（給水弁ＷＶが介装されている）から供給される水道水とを混合して略飽和状態の濃塩水を生成・貯溜するためのものであり、同タンク２０には、同タンク２０内の余剰濃塩水をオーバーフロー排水するオーバーフロー排水管５１が接続されている。
【００１０】
酸性水タンク３０は、電解槽１０から導かれた酸性水を貯溜するためのものであり、その上限水位（破線にて示した水位）は濃塩水タンク２０の上限水位（破線にて示した水位）よりも高水位となっていて、その下部にはドレン排水管５２が接続されている。また、酸性水タンク３０の上方部位には同タンク３０内の余剰酸性水をオーバーフロー排水するオーバーフロー排水管５３の一端が接続されていて、同オーバーフロー排水管５３の他端は、ドレン排水管５２に排水弁Ｖ１よりも下流側にて接続されている。
【００１１】
アルカリ性水タンク４０は、電解槽１０から導かれたアルカリ性水を貯溜するためのものであり、その上限水位（破線にて示した水位）は濃塩水タンク２０の上限水位よりも高水位となっていて、その下部にはドレン排水管５４が接続されている。また、アルカリ性水タンク４０の上方部位には同タンク４０内の余剰アルカリ性水をオーバーフロー排水するオーバーフロー排水管５５の一端が接続されていて、同オーバーフロー排水管５５の他端は、ドレン排水管５４に排水弁Ｖ２よりも下流側にて接続されている。
【００１２】
排水装置５０は、各オーバーフロー排水管５１，５３，５５と各排水弁Ｖ１，Ｖ２をそれぞれ介装した各ドレン排水管５２，５４と集流接続管５６によって構成されており、オーバーフロー排水管５１と各ドレン排水管５２，５４が集流接続管５６に集流接続されていて、濃塩水タンク２０内の濃塩水、酸性水タンク３０内の酸性水及びアルカリ性水タンク４０内のアルカリ性水が集流排水管５６を通して排水されるようになっている。なお、各ドレン排水管５２，５４と集流排水管５６は、その管径が等しいものが用いられている。
【００１３】
ところで、本実施形態においては、各ドレン排水管５２，５４にそれぞれ絞り５７，５８が設けられている。各絞り５７，５８は、各ドレン排水管５２，５４における最小通路断面積を形成して各ドレン排水管５２，５４の時間当たりの排水流量を決定するもので、各排水弁Ｖ１，Ｖ２よりも下流側に設けられていて、各ドレン排水管５２，５４における最小通路面積の和は集流排水管５６における最小通路断面積よりも小さくなるように設定されている。
【００１４】
上記のように構成した本実施形態においては、各ドレン排水管５２，５４における最小通路断面積の和を集流排水管５６における最小通路断面積よりも小さくしたため、各ドレン排水管５２，５４を通して集流排水管５６に向けて流れる水量を少なくすることができる。したがって、オーバーフロー排水管５１に逆流する水量を少なく又は無くすことができて、両タンク３０，４０内の酸性水及びアルカリ性水がオーバーフロー排水管５１を通して濃塩水タンク２０に逆流することを防止することができる。
【００１５】
また、本実施形態においては、各ドレン排水管５２，５４における最小通路断面積を各ドレン排水管５２，５４に設けた絞り５７，５８によって形成したものであるため、各ドレン排水管５２，５４と集流排水管５６の管径を等しくできて、各ドレン排水管５２，５４と集流排水管５６に使用する部材を同一のものとすることができ、安価に実施することができる。
【００１６】
上記実施形態においては、各ドレン排水管５２，５４における最小通路断面積を各ドレン排水管５２，５４に設けた絞り５７，５８によって形成して、各ドレン排水管５２，５４における最小通路面積の和が集流排水管５６における最小通路断面積よりも小さくなるように実施したが、各ドレン排水管５２，５４の管径を集流排水管５６の管径よりも小さくして、各ドレン排水管５２，５４における最小通路断面積の和を集流排水管５６における最小通路断面積よりも小さくなるように実施することも可能である。
【図面の簡単な説明】
【図１】本発明による排水装置を実施した電解水生成装置を概略的に示した全体構成図である。
【図２】本発明による排水装置の課題を説明するための排水装置の一実施形態を概略的に示した全体構成図である。
【符号の説明】
２０…濃塩水タンク（低水位タンク）、３０…酸性水タンク（高水位タンク）、４０…アルカリ性水タンク（高水位タンク）、５０…排水装置、５１…オーバーフロー排水管、５２，５４…ドレン排水管、５３，５５…オーバーフロー排水管、５６…集流排水管、５７，５８…絞り、Ｖ１，Ｖ２…排水弁。
【図１】
0003667546.tif 000002
【図２】
0003667546.tif 000003